(57)【要約】【課題】電力を使用せず気軽に適切な箇所に適度な刺激を与えることができる皮膚刺激具、および皮膚刺激方法を提供することを目的とする。【解決手段】刺激突起１１１の先端に先端刺激部１１２が髪の毛１本程度の断面幅を備えた平面で形成されるので、皮膚を刺通せずに刺激することができる。また刺激突起１１１は皮下組織に到達して留まる高さがあるので、肌を構成する表皮および真皮の次に構造される皮下組織まで刺激突起１１１によって肌を刺通せずに刺激することができる。【選択図】図１
2019181072.tif 000002
【特許請求の範囲】
【請求項１】
錐体形状の刺激突起で皮膚を押圧して刺激を与える皮膚刺激具において、
前記刺激突起は、
前記刺激突起の先端に、押圧時に皮膚に刺通しない程度に形成された先端刺激部と、
押圧時に前記先端刺激部が皮下組織内に留まる高さと、
を備えることを特徴とする皮膚刺激具。
【請求項２】
前記先端刺激部は、
接触する前記皮膚に対して平行な平面が形成されていること、
を特徴とする請求項１記載の皮膚刺激具。
【請求項３】
前記平面は、
０．１２ｍｍ〜０．１５ｍｍの範囲で形成されていること、
を特徴とする請求項２記載の皮膚刺激具。
【請求項４】
前記刺激突起は、
前記刺激突起を温めるための温熱源、
を備えることを特徴とする請求項１記載の皮膚刺激具。
【請求項５】
前記温熱源は、
温水であること、
を特徴とする請求項４記載の皮膚刺激具。
【請求項６】
前記刺激突起は、
円柱体のローラーの周側面に連続して配列されること、
を特徴とする請求項１記載の皮膚刺激具。
【請求項７】
前記ローラーは、
前記ローラーを保持するためのローラー保持枠に回動自在に保持されること、
を特長とする請求項６記載の皮膚刺激具。
【請求項８】
前記ローラー保持枠は、
それぞれ独立して回動するように複数の前記ローラーが保持されること、
を特長とする請求項７記載の皮膚刺激具。
【請求項９】
前記ローラー保持枠には持ち手が握る柄が備えられ、
前記柄は、
長さを調節する長さ調節手段、
を備えることを特長とする請求項７記載の皮膚刺激具。
【請求項１０】
前記ローラー保持枠には持ち手が握る柄が備えられ、
前記柄は、
装身具が連結される連結孔、
を備えることを特徴とする請求項７記載の皮膚刺激具。
【請求項１１】
前記ローラー保持枠には持ち手が握る柄が備えられ、
前記柄は、
後端に前記刺激突起、
を備えることを特長とする請求項７記載の皮膚刺激具。
【請求項１２】
前記ローラーは、
前記ローラーの回転方向に対して所定の角度をなすように、前記刺激突起が傾斜状に配列されていること、
を特徴とする請求項６記載の皮膚刺激具。
【請求項１３】
前記高さは、
２ｍｍ以上２．２ｍｍ以内であること、
を特徴とする請求項１記載の皮膚刺激具。
【請求項１４】
前記高さは、
２．０７ｍｍであること、
を特徴とする請求項１３記載の皮膚刺激具。
【請求項１５】
前記刺激突起は、
チタン合金で形成されていること、
を特徴とする請求項１記載の皮膚刺激具。
【請求項１６】
前記チタン合金は、
特定の色が発色される厚さの酸化皮膜が表面に形成されること、
を特長とする請求項１５記載の皮膚刺激具。
【請求項１７】
前記刺激突起は、
四角錐であること、
を特徴とする請求項１記載の皮膚刺激具。
【請求項１８】
前記刺激突起は、
平面上に連続して配列されること、
を特徴とする請求項１記載の皮膚刺激具。
【請求項１９】
前記刺激突起の底面側には、
前記底面を覆うように貼着され、前記先端刺激部方向に粘着層が積層された絆創膏、
を備えることを特徴とする請求項１記載の皮膚刺激具。
【請求項２０】
錐体形状の刺激突起で皮膚を押圧して刺激を与える皮膚刺激方法において、
前記刺激突起の先端が皮膚に刺通しない程度に形成された先端刺激部が、皮膚に押圧される工程と、
前記刺激突起の先端が、皮下組織に到達して留まる工程と、
を備えることを特徴とする皮膚刺激方法。
【発明の詳細な説明】
【技術分野】
【０００１】
本発明は、皮膚刺激具、および皮膚刺激方法に関し、特に錐体形状の刺激突起で皮膚を押圧して刺激を与える皮膚刺激具、および皮膚刺激方法に関する。
【背景技術】
【０００２】
従来から、東洋医学のひとつとして全身に点在するツボと呼ばれる経穴を鍼で刺激して身体の不調を改善する鍼治療が知られており、様々な研究機関や保健機構からも、その効果が期待できるとして注目を集めている。
【０００３】
この鍼治療の中でも美容を目的とし、皮膚や筋肉に直接刺激を与えることで、ニキビやほうれい線、しわ、たるみ、しみ等の原因となる肌質などの体質を改善させ、健康的な美しさを手に入れる美容鍼が知られている（たとえば、特許文献１、２参照）。
【０００４】
例えば、特許文献１では、鍼で身体に刺激を長期間与えることを可能とする鍼施術用の鍼が開示されている。
具体的には、身体に副作用を与えることが少ない美容形成・美容整形療法として、皮膚細胞を活性化させるために身体内に糸を植入し、その糸にコラーゲン溶液などの溶液剤を含浸させることで、刺激効果を向上させ、さらに糸の折り返し長さを調節するだけで、身体内に植入された糸を注射針から容易に抜き取ることができるものである。
【０００５】
また、他にツボを刺激する方法として、特許文献２では、ローラーの転動によるマッサージ効果とローラーを介して発散させる他のエネルギー効果、およびツボを同時に刺激することによる新陳代謝の活性効果との相乗効果をより高く得られる美容健康装置が開示されている。
【０００６】
具体的には、突部を円筒形の外周面に有したローラー、または非円筒形の外周面を有したローラーが把持部を有する本体の一端部に回転自在に支持され、ローラーの内部に設けられたエネルギー発生部により、ローラーにエネルギー発生部からのエネルギーが伝達されるものである。
このよに、鍼や美容健康装置などでツボを刺激することで、身体の新陳代謝を活性化させ、ニキビやほうれい線、しわ、たるみ、しみ等の原因となる肌質などの体質を改善させ、健康的な美しさを手に入れることができる。
【先行技術文献】
【特許文献】
【０００７】
【特許文献１】特許５１２８７１５号
【特許文献２】特開平１１−１９２２７５号公報
【発明の概要】
【発明が解決しようとする課題】
【０００８】
しかし、鍼による施術は医師やはり師などの有資格者でないと施術できないため、一般のユーザーが気軽に施術を行えない問題があった。現在、日本において鍼を業として行えるのは、医師および国家資格であるはり師の免許を持つ人だけであり、上述の特許文献１のような鍼の刺通は、医師およびはり師しか行えない。つまり、一般のユーザーが個人で美容のために気軽に施術を行なうことはできなかった。
また、美容鍼は皮膚に直接鍼を刺すので、針のようなものを刺すという痛いイメージが
あり、患者に不安が残るため、美容鍼が普及しづらい問題もある。
【０００９】
一方で、上述の特許文献２のような美容健康装置では、突部を円筒形の外周面に有したローラー、または非円筒形の外周面を有したローラーが肌やツボを刺激するので、呪術の鍼による施術のような有資格者でなくても施術を気軽に行える。
【００１０】
しかし、円筒形の外周面に設けられた突部や、非円筒形の外周面による刺激では、刺激が皮膚の表面にしか刺激を与えることができないため刺激が弱く、効率よくツボに刺激を与えることができなかった。
【００１１】
また弱い刺激を補助するために、エネルギー発生部がローラーの内部に設置されており、そのエネルギー発生部の例として超音波や低周波、高周波などの発生部が挙げられているが、超音波や低周波、高周波などを発生させるには電力を必要とするので、経済的ではなかった。また電源を確保するために、いつでも、どこでも、気軽に刺激を行えるものではなかった。
さらに、携帯用の場合には、必要な電源部を内蔵する必要があるため、美容健康装置全体の重量が増加し、装置を利用する度に疲労感が伴ってしまう問題があった。
【００１２】
本発明はこのような点に鑑みてなされたものであり、電力を使用せず気軽に適切な箇所に適度な刺激を与えることができる刺激具を提供することを目的とする。
【課題を解決するための手段】
【００１３】
本発明では上記問題を解決するために、錐体形状の刺激突起で皮膚を押圧して刺激を与える皮膚刺激具において、前記刺激突起は、前記刺激突起の先端に、押圧時に皮膚に刺通しない程度に形成された先端刺激部と、押圧時に前記先端刺激部が皮下組織内に留まる高さとを備えることを特徴とする皮膚刺激具が提供される。これにより、刺激突起の先端が皮膚に刺通せずに皮下組織に留まる。
【００１４】
また、本発明では、錐体形状の刺激突起で皮膚を押圧して刺激を与える皮膚刺激方法において、前記刺激突起の先端に皮膚に刺通しない程度に形成された先端刺激部が、皮膚に押圧される工程と、前記刺激突起の先端が、皮下組織に到達して留まる工程とを備えることを特徴とする皮膚刺激方法が提供される。これにより、刺激突起の先端が皮膚に刺通せずに皮下組織に留まる。
【発明の効果】
【００１５】
本発明の皮膚刺激具、および皮膚刺激方法によれば、刺激突起の先端が皮膚に刺通せずに皮下組織に留まるので、電力を使用せず気軽に、適切な皮下組織に刺激を与えることができる。
【図面の簡単な説明】
【００１６】
【図１】第１の実施の形態に係る美容鍼の正面図、上面図、および側面図である。
【図２】刺激突起の詳細を示す正面図、上面図、および側面図である。
【図３】ローラー部の進行方向と、刺激突起による刺激ポイントを示す図である。
【図４】肌の構造および美容鍼の使用前、使用中、使用後を示す断面図である。
【図５】温熱源の形成例を示す断面図である。
【図６】第２の実施の形態に係る美容鍼の正面図である。
【図７】伸縮自在に構成された柄の詳細を示す正面図である。
【図８】第３の実施の形態に係る美容鍼の正面図である。
【図９】第４の実施の形態に係る美容鍼の斜視図である。
【図１０】第５の実施の形態に係る美容鍼の正面図である。
【発明を実施するための形態】
【００１７】
以下、本発明の実施の形態を、図面を参照して詳細に説明する。
〔第１の実施の形態〕
図１は、第１の実施の形態に係る美容鍼の正面図、上面図、および側面図である。
図１に示すように美容鍼１００は、円柱体形状をしたローラー部１１０、ローラー部１１０を回動自在に保持するローラー保持枠１２０、およびローラー保持枠１２０の一方に固定された柄１３０を備えており、ユーザーは柄１３０を持ちながら、刺激を与えたい所望の位置の肌にローラー部１１０をあて、ローラー部１１０の回転方向に合わせてローラー部１１０を回転移動させることで、ユーザーの肌やツボに刺激を与え、美容効果を高めるためのものである。
【００１８】
ローラー部１１０は、例えばチタン合金などの金属で形成された円柱形状のローラーである。ローラー部１１０の周側面には、錐体形状をした刺激突起１１１がローラー部１１０の回転方向に沿って連続して配列されている。
【００１９】
刺激突起１１１の先端には髪の毛１本分程度の断面幅の平面で先端刺激部１１２が形成される。これにより、刺激突起１１１がユーザーの肌と接触した際に、刺激突起１１１の先端が皮膚に刺通することがない。さらに、刺激突起１１１の先端には髪の毛１本分程度の断面幅の平面で形成することで、鍼治療なので用いられる鍼の刺激に近づけることができる。
【００２０】
なお、ローラー部１１０を構成する刺激突起１１１および先端刺激部１１２は、硬度が高いチタン合金で形成されているため、先端刺激部１１２のように先端を細く形成しても、皮膚との摩擦により刺激突起１１１が摩耗してしまうことを低減させることができる。
【００２１】
さらにチタン合金は、空気に触れるとすぐに酸化し、表面に強固な酸化皮膜を作ることが知られている。この酸化被膜が表面に形成されることで、刺激突起１１１および先端刺激部１１２がユーザーの汗やリンパ液などに触れたとしても、金属成分が溶け出すことがなく、金属アレルギーを起こしにくくすることができる。
【００２２】
ローラー保持枠１２０は、ローラー部１１０を両側面側から挟持するように保持するＵ字型で形成された枠体である。ローラー保持枠１２０は、ローラー部１１０をボルト１２１によって回動自在に保持する。
【００２３】
柄１３０は、ローラー保持枠１２０の底面側に、ローラー部１１０の保持側と反対方向に垂直に固定される棒体である。ユーザーは柄１３０を持ちながら、ローラー部１１０をユーザーの肌にあてながらローラー部１１０を回転移動させる。
【００２４】
ローラー保持枠１２０および柄１３０は、直接ユーザーの肌と接する場面が少ないので、ステンレス鋼材で形成することで製造単価を低減することができる。なおステンレスも酸化しにくい性質の金属のため、チタン同様に金属成分が溶け出すことがなく、金属アレルギーを起こしにくくすることができる。
【００２５】
なお、図１では、柄１３０の形状を棒体としたが、ユーザーが握りやすい形状であれば他の形状で構成することもできる。
またローラー保持枠１２０と柄１３０とは、垂直に固定する例で示したが、所定の角度を保った状態で固定することもできる。さらに角度の調節を自由自在に変更できるように構成することもできる。
【００２６】
図２は、刺激突起の詳細を示す正面図、上面図、および側面図である。
図２に示すように、刺激突起１１１は、例えば四角錐形状をしており、刺激突起１１１の先端には髪の毛１本分程度の断面幅の平面状の先端刺激部１１２が形成される。
【００２７】
具体的には、刺激突起１１１の底面は２．６ｍｍ×３．０ｍｍの平行四辺形の形状で形成され、底面から先端刺激部１１２の平面までの高さは２．０７ｍｍの四角錐で形成される。
【００２８】
また、刺激突起１１１の先端には、０．１５ｍ×０．１２ｍｍの平面状の先端刺激部１１２が、接触するユーザーの皮膚に対して平行に形成される。一般に日本人の髪の毛の断面幅は、０．０５ｍｍ〜０．１５ｍｍ程度であり、髪の毛程度の断面幅の平面では、皮膚に刺通することはない。このようにユーザーの皮膚と接触する刺激突起１１１の先端に先端刺激部１１２を形成することで、刺激突起１１１は皮膚に刺通せずに適度な刺激を与えることができる。
【００２９】
なお、美容鍼において一般的な針治療では、皮膚表面近くを刺激するために、刺入深度が浅い斜刺と呼ばれる鍼の刺し方が行なわれる。斜刺とは皮膚面に対し鍼を約３０度〜６０度、好ましくは４５度の角度で斜めに刺入する鍼の刺し方である。
【００３０】
本実施の形態の美容鍼１００では、刺激突起１１１の形状を上記の四角錐形状にすることで、皮膚に対して約３０度〜６０度、好ましくは４５度の角度で刺激することができる。
【００３１】
図３は、ローラー部の進行方向と、刺激突起による刺激ポイントを示す図である。
図３（Ａ）は、ローラー部１１０の周側面に底面が平行四辺形で形成された刺激突起１１１を配列した場合の、刺激ポイント１２２Ａを示している。
【００３２】
図３（Ａ）に示すように、刺激突起１１１の底面を平行四辺形に形成し、ローラー部１１０の周側面に連続して刺激突起１１１を配列することで、刺激突起１１１はローラー部１１０の回転方向Ｍに対して所定の角度をなすような傾斜状の直線Ｌ−Ａ方向に連続して配列される。
【００３３】
また、刺激突起１１１の先端に形成された先端刺激部１１２も同様に、刺激突起１１１はローラー部１１０の回転方向Ｍに対して所定の角度をなすような傾斜状の直線Ｌ−Ａ方向に連続して配列される。
【００３４】
これにより、刺激ポイント１２２Ａはローラー部１１０の回転方向Ｍに対して所定の角度をなすように傾斜状に刺激していくので、刺激ポイント１２２Ａを分散させて刺激していくことができる。
【００３５】
また、刺激ポイント１２２Ａはローラー部１１０の回転方向Ｍに対して所定の角度をなすように傾斜状に刺激していくので、ローラー部１１０の進行方向から傾斜した方向に肌が刺激されて移動していくため、肌の引き締め効果を高めることができる。
【００３６】
図３（Ａ）では、ローラー部１１０の周側面に底面が平行四辺形で形成された刺激突起１１１を配列するようにしたが、図３（Ｂ）のように、ローラー部１１０の周側面に底面が長方形で形成された刺激突起１１１を配列するようにしてもよい。
【００３７】
図３（Ｂ）は、ローラー部１１０の周側面に底面が長方形で形成された刺激突起１１１を配列した場合の、刺激ポイント１２２Ｂを示している。
【００３８】
図３（Ｂ）に示すように、刺激突起１１１の底面を長方形で形成し、ローラー部１１０の周側面に連続して刺激突起１１１を配列することで、刺激突起１１１はローラー部１１０の回転方向Ｍに平行な直線Ｌ−Ｂ方向に連続して配列される。
【００３９】
また、刺激突起１１１の先端に形成された先端刺激部１１２も同様に、刺激突起１１１はローラー部１１０の回転方向Ｍに平行な直線Ｌ−Ｂ方向に連続して配列される。
これにより、刺激ポイント１２２Ｂは、ローラー部１１０の回転方向に平行して刺激していくので、ユーザーはローラー部１１０をスムーズに移動させることができる。
【００４０】
図４は、肌の構造および美容鍼の使用前、使用中、使用後を示す断面図である。
図４に示すように、肌は、表皮、真皮、および皮下組織の３層で構造されている。
表皮は、表面側から皮膚膜、角質層、顆粒層、有棘層、および基底層で構造されており、約０．２ｍｍの厚さがある。真皮は、コラーゲン、エラスチン、繊維芽細胞、基質などで構造されおり、約２ｍｍの厚さがある。
【００４１】
皮下組織は、主に皮下脂肪で構造され、毛細血管やリンパ管などが通っており、栄養を送り出したり、老廃物を排泄したりする役目をしている。また、これら肌の下には、筋膜を介して筋肉が構造されている。
【００４２】
一般に美容の敵とされる「しわ」や「たるみ」の原因は、表皮または真皮にあるとされている。例えば、真皮を構造するコラーゲンやエラスチンは、真皮をさせる繊維成分であり、これらの成分が緩んでしまうことが主な「たるみ」の原因とされている。
【００４３】
つまり美容を目的とした場合、鍼治療は鍼を深くまで刺す必要はなく、表皮および真皮付近を刺激することで改善されることが多い。
このため本実施の形態の美容鍼１００では、刺激突起１１１の高さを押圧時に先端刺激部１１２が皮下組織内に留まる高さである２ｍｍ〜２．２ｍｍで形成、好ましくは先端刺激部１１２の平面まで２．０７ｍｍの高さで形成するので、ユーザーがローラー部１１０を皮膚方向に押し込んだ距離と合わせて、刺激が必要な表皮および真皮までの２．２ｍｍを十分に刺激することができる。
【００４４】
また刺激突起１１１の先端には、先端刺激部１１２が形成されているため、皮膚を刺通することがない。また皮下組織、筋膜、筋肉などの組織を傷つけることなく、適切な部位に刺激を与えることができる。
【００４５】
なお、本実施の形態の美容鍼１００は、人の肌を刺激するだけでなく、頭髪が生えた頭皮や、表面が体毛で覆われた動物の皮膚の上から刺激を与えることもできる。例えば人の頭皮に刺激を与える場合、刺激突起１１１の高さが２ｍｍ〜２．２ｍｍだと、毛のボリュームによって先端刺激部１１２が皮下組織内に到達しない場合がある。
【００４６】
この場合は、刺激突起１１１の高さを２ｍｍ〜３．５ｍｍで形成、好ましくは２．５８ｍｍや３．４５ｍｍで形成することで、表皮が毛で覆われていたとしても、先端刺激部１１２を皮下組織内に到達させて、刺激が必要な表皮および真皮までの２．２ｍｍを十分に刺激することができる。
【００４７】
また、本実施の形態の美容鍼１００が有する刺激突起１１１の高さは、人の肌を刺激することを前提に形成しているが、人間以外の動物の肌に使用する場合は、人間以外の動物の肌の構造に合わせて、適宜先端刺激部１１２が皮下組織内に留まる高さで刺激突起１１１の高さを形成することができる。
【００４８】
また、皮膚の表面が毛で覆われた場合だけでなく、刺激突起１１１の高さが２ｍｍ〜２．２ｍｍで刺激が足りない部位で使用する場合は、刺激突起１１１の高さを任意に変更するようにしてもよい。
【００４９】
図５は、温熱源の形成例を示す断面図である。
図５に示すように、美容鍼１００は、温熱源１４０を備えることができる。
美容鍼１００のローラー部１１０は、チタン合金で形成されているため、冬場など気温が低い場合に、ローラー部１１０をユーザーの肌に直接当てるとユーザーが冷たく不快に感じてしまうことがある。
【００５０】
この場合、美容鍼１００は温熱源１４０を備えているため、ローラー部１１０が適温に温まり、ローラー部１１０をユーザーの肌に直接当てても、冷たく不快に感じることがない。
【００５１】
具体的な例として、図５（Ａ）の様に、温熱源１４０はローラー部１１０の内部に空間を設け、ローラー部１１０の側面に設けられた注水口１４１よりお湯を内部に入れる。これによりローラー部１１０は、温熱源１４０に注水されたお湯により温められるので、ユーザーは快適に美容鍼１００を利用することができる。
【００５２】
また別の例として、図５（Ｂ）の様に、温熱源１４０は柄１３０の内部に空間を設け、柄１３０の端部に設けられた注水口１４１よりお湯を内部に入れる。これによりステンレス製の柄１３０は温熱源１４０によって温められ、ステンレス製のローラー保持枠１２０およびチタン合金製のローラー部１１０に温熱源１４０の熱が伝導するので、ユーザーは快適に美容鍼１００を利用することができる。
【００５３】
〔第２の実施の形態〕
次に、本発明の第２の実施の形態について説明する。本実施の形態の美容鍼は、ローラー部の形状が異なる以外は、第１の実施の形態で示した構成とほぼ同様である。このため、上記第１の実施の形態とほぼ同様の構成部分については同一の符号を付すなどして適宜その説明を省略する。
【００５４】
図６は、第２の実施の形態に係る美容鍼の正面図である。
図６に示すように、美容鍼１００は、円柱体形状をした２つのローラー部１１０Ａおよび１１０Ｂ、ローラー部１１０Ａおよび１１０Ｂを回動自在に保持するローラー保持枠１２０、およびローラー保持枠１２０の一方に固定された柄１３０を備えている。
【００５５】
ローラー部１１０Ａおよびローラー部１１０Ｂは、それぞれ独立して回転するようにローラー保持枠１２０によって保持されている。
ローラー部１１０Ａおよびローラー部１１０Ｂが独立して回転するので、例えばローラー部１１０Ａを回転させずに、ローラー部１１０Ｂだけを回転させることで、ローラー部１１０Ａを中心とした円をユーザーの肌に描くことができる。
【００５６】
上記に様に、ローラー部１１０Ａおよびローラー部１１０Ｂが独立して回転させることで、美容鍼１００の移動性が向上し、ユーザーは顎部や頬部などの複雑な形状の部位でもスムーズに刺激を肌に与えることができる。
【００５７】
また、ローラー部１１０Ａおよびローラー部１１０Ｂが、それぞれ独立してユーザーの肌付近の細かい筋肉をとらえて刺激するので、各部位に合わせた刺激を与えることができる。またユーザーに快適な刺激を与えることができる。
【００５８】
なお本実施の形態の美容鍼１００は、２つのローラー部１１０Ａおよびローラー部１１０Ｂで構成したが、３以上のローラー部１１０を用いて構成することもできる。
また、本実施の形態の美容鍼１００は、２つのローラー部１１０Ａおよびローラー部１１０Ｂを回転軸方向に並べて構成したが、複数のローラー部１１０を回転方向、または回転方向および回転軸方向に並べて構成することもできる。
【００５９】
また、図６の例では、ローラー部１１０の周側面に底面が平行四辺形で形成された刺激突起１１１を配列した場合の例で示しており、ローラー部１１０Ａおよびローラー部１１０Ｂにおける刺激突起１１１の配列方向は同方向であるが、これを互いに内側または互いに外側に向けた方向で配列するようにしてもよい。
【００６０】
図７は、伸縮自在に構成された柄の詳細を示す正面図である。
図７に示すように、柄１３０は、長さを調節可能に構成された柄１３０Ａおよび柄１３０Ｂを備えている。
【００６１】
美容鍼１００は、携帯用に小型のサイズで形成されるが、必要に応じて手の届かない部位に刺激を与えたい場合も生じる。このとき図７のように柄１３０を延長することで、手が届かなかった部分も刺激することができるようになる。
【００６２】
具体的には、柄１３０Ａの一端にはローラー保持枠１２０が固定されており、多端にはオスネジ１３１Ａが形成されている。また柄１３０Ｂの一端にはメスネジ１３１Ｂが形成されており、オスネジ１３１Ａとメスネジ１３１Ｂとを連結して緊結することで、柄１３０Ａの長さに柄１３０Ｂの長さが延長される。
【００６３】
なお、本実施の形態の美容鍼１００では、柄１３０Ａおよび柄１３０Ｂの連結に、オスネジ１３１Ａとメスネジ１３１Ｂとを用いたが、このほか、筒状の柄１３０Ａの内部に柄１３０Ａの径よりも小さい柄１３０Ｂを入れ込み、スライドさせて延長させてもよい。
【００６４】
〔第３の実施の形態〕
次に、本発明の第３の実施の形態について説明する。本実施の形態の美容鍼は、刺激突起の配列形状が異なる以外は、第１の実施の形態で示した構成とほぼ同様である。このため、上記第１の実施の形態とほぼ同様の構成部分については同一の符号を付すなどして適宜その説明を省略する。
【００６５】
図８は、第３の実施の形態に係る美容鍼の正面図である。
図８に示すように、美容鍼１００は、平面状に配列された刺激突起１１１を備えている。
刺激突起１１１を平面状に配列する場合には、刺激突起１１１の底面同士を連結してもよいし、板材などに刺激突起１１１を貼り付けることもできる。
【００６６】
第３の実施の形態に係る美容鍼１００は、平面状に刺激突起１１１が配列されているので、例えばユーザーが寝るベッドの上に設置して寝たり、第３の実施の形態に係る美容鍼１００を配置した床の上にユーザーが寝たり、壁に設置した美容鍼１００に寄りかかったりすることでユーザーの肌に刺激を与えることができる。
この場合でも、平面状に刺激突起１１１の先端には先端刺激部１１２が形成されているので、美容鍼１００が刺激を与える肌に刺激突起１１１が刺通することがない。
【００６７】
〔第４の実施の形態〕
次に、本発明の第４の実施の形態について説明する。本実施の形態の美容鍼は、刺激突起の配列形状が異なる以外は、第１の実施の形態で示した構成とほぼ同様である。このため、上記第１の実施の形態とほぼ同様の構成部分については同一の符号を付すなどして適宜その説明を省略する。
【００６８】
図９は、第４の実施の形態に係る美容鍼の斜視図である。
図９に示すように、美容鍼１００は、平面状に配列された刺激突起１１１および絆創膏１５０を備えている。
【００６９】
第４の実施の形態に係る美容鍼１００は、第１〜第３の実施の形態に係る美容鍼１００とのようにユーザーが行なう刺激行為によって刺激が一時的に与えられるものとは異なり、絆創膏１５０によってユーザーの肌の所望の位置に刺激突起１１１を貼り付けることで、常に刺激を与え続けることができるものである。
【００７０】
具体的には、絆創膏１５０の一面には粘着面１５１が積層されており、その粘着面１５１に刺激突起１１１の底面が接着されている。
ユーザーは刺激突起１１１の先端に形成された先端刺激部１１２を肌に向けて所望の位置に配置し、刺激突起１１１を底面から覆うように絆創膏１５０でユーザーの肌に刺激突起１１１を接着する。
【００７１】
これにより、刺激突起１１１は、ユーザーの肌の所望の位置に固定されるので、絆創膏１５０を剥がすまで常に刺激を与え続けることができる。
この場合でも、平面状に刺激突起１１１の先端には先端刺激部１１２が形成されているので、美容鍼１００が刺激を与える肌に刺激突起１１１が刺通することがない。
【００７２】
〔第５の実施の形態〕
次に、本発明の第５の実施の形態について説明する。本実施の形態の美容鍼は、柄の形状が異なる以外は、第１の実施の形態で示した構成とほぼ同様である。このため、上記第１の実施の形態とほぼ同様の構成部分については同一の符号を付すなどして適宜その説明を省略する。
【００７３】
図１０は、第５の実施の形態に係る美容鍼の正面図である。
図１０に示すように、美容鍼１００は、柄１３０の端部周側面に装身具２００と連結するための連結孔１３２を備えている。
【００７４】
連結孔１３２は、柄１３０の端部周側面を径方向に貫通して設けられる貫通孔である。例えばネックレスチェーンのような装身具２００を連結孔１３２に通すことで、美容鍼１００と装身具２００とを連結することができる。
【００７５】
これにより、装身具２００に美容鍼１００を連結してユーザーの身につけることができるので、美容鍼１００の携帯性が向上する。
また、チタン合金およびステンレス鋼材で構成された美容鍼１００をユーザーの首から装身具２００を介して前方に吊り下げることで、美容鍼１００の重量により、ユーザーが歩行する際のバランスが向上する効果を得ることができる。
【００７６】
また、柄１３０の後端に刺激突起１１１またはツボ刺激用の突起を設けることもできる。これにより、ユーザーは、ローラー部１１０による平面的な皮膚刺激だけでなく、柄１３０の後端に刺激突起１１１またはツボ刺激用の突起による部分的なツボ刺激も与えることができる。
【００７７】
以上のように、美容鍼１００は、刺激突起１１１の先端に先端刺激部１１２が髪の毛１本程度の断面幅を備えた平面で形成されるので、皮膚を刺通せずに刺激することができる。また刺激突起１１１は皮下組織に到達する十分な長さがあるので、肌を構成する表皮および真皮の次に構造される皮下組織まで刺激突起１１１によって肌を刺通せずに刺激することができる。
【００７８】
なお美容鍼１００が備えるローラー部１１０や刺激突起１１１を形成するチタン合金は、表面に形成される酸化皮膜の厚さを変化させることで、１００種類以上の発色できることが知られている。
【００７９】
具体的には、チタンに進む光のうち一部は酸化皮膜の表面で反射し、残りは酸化皮膜に入射しチタン合金の表面で反射して出て行く。この酸化皮膜の表面で反射する光と、チタン合金の表面で反射する光との位相が干渉することで、その光が強調されて色に見えるものである。
この表面に形成される酸化皮膜の厚さによる発色の変化を利用して、ローラー部１１０や刺激突起１１１の色を変化させることができる。
【００８０】
このように、刺激突起１１１の高さに応じてローラー部１１０や刺激突起１１１の色を変化させて識別させたり、様々なカラーバリエーションのローラー部１１０や刺激突起１１１を製造したりしてもよい。
【符号の説明】
【００８１】
１００  美容鍼
１１０、１１０Ａ、１１０Ｂ  ローラー部
１１１  刺激突起
１１２  先端刺激部
１２０  ローラー保持枠
１２１  ボルト
１２２Ａ、１２２Ｂ  刺激ポイント
１３０、１３０Ａ、１３０Ｂ  柄
１３１Ａ  オスネジ
１３１Ｂ  メスネジ
１３２  連結孔
１４０  温熱源
１４１  注水口
１５０  絆創膏
１５１  粘着面
２００  装身具
Ｌ−Ａ、Ｌ−Ｂ  直線
Ｍ  回転方向
【図１】
2019181072.tif 000003
【図２】
2019181072.tif 000004
【図３】
2019181072.tif 000005
【図４】
2019181072.tif 000006
【図５】
2019181072.tif 000007
【図６】
2019181072.tif 000008
【図７】
2019181072.tif 000009
【図８】
2019181072.tif 000010
【図９】
2019181072.tif 000011
【図１０】
2019181072.tif 000012